(57)【要約】【課題】ジョブを削除して全ジョブ終了までの所要時間を短くする場合に、削除するジョブの選択を補助すること。【解決手段】ユーザの操作によりジョブ一覧からジョブが選択されると、画像処理装置の主制御部は、画像処理装置の記憶部に記憶されたジョブ情報と、選択されたジョブを識別するための識別情報とに基づいて削除後所要時間を算出し、その算出結果を画像処理装置のディスプレイパネルに表示する。【選択図】図６
2013052613.tif 000002
【特許請求の範囲】
【請求項１】
画像形成装置において画像形成出力を実行するために要する時間を表示する画像処理装置であって、
前記画像形成出力の実効命令であるジョブ情報を記憶するジョブ情報記憶部と、
前記記憶されたジョブ情報に基づいてジョブ一覧を表示装置に表示させるジョブ一覧表示部と、
前記表示されたジョブ一覧におけるユーザの選択に応じて、選択されたジョブ情報を識別する選択ジョブ識別部とを含み、
前記ジョブ一覧表示部は、
前記ジョブ一覧において、前記記憶された夫々のジョブ情報に基づいて実行される画像形成出力に要する時間を計算して表示させると共に、前記計算した時間の合計を計算して表示させ、
前記記憶されたジョブ情報と前記識別されたジョブ情報とに基づき、前記識別されたジョブ情報に基づいて実行される画像形成出力以外の画像形成出力に要する時間の合計を計算して表示させることを特徴とする画像処理装置。
【請求項２】
前記ジョブ一覧表示部は、実行中のジョブがある場合には、実行中のジョブの進行度合いに応じた前記画像形成出力に要する時間を計算して表示することを特徴とする請求項１に記載の画像処理装置。
【請求項３】
前記ジョブ一覧表示部は、前記時間の計算結果を更新する明示の指示が入力された場合に、前記識別されたジョブ情報に基づいて実行される画像形成出力以外の画像形成出力に要する時間の合計を計算して表示させることを特徴とする請求項１または２に記載の画像処理装置。
【請求項４】
前記ジョブ一覧表示部は、前記識別されたジョブ情報を削除する明示の指示が入力された場合に、前記選択されたジョブ情報に基づいて実行される画像形成出力以外の画像形成出力に要する時間の合計を計算して表示させることを特徴とする請求項１乃至３いずれか１項に記載の画像処理装置。
【請求項５】
画像形成装置において画像形成出力を実行するために要する時間を表示する画像処理装置の制御プログラムであって、
前記画像形成出力の実効命令であるジョブ情報を記憶媒体に記憶するステップと、
前記記憶された夫々のジョブ情報に基づいて実行される画像形成出力に要する時間を計算すると共に、前記計算した時間の合計を計算し、それらの情報を含むジョブ一覧を表示装置に表示させるステップと、
前記表示されたジョブ一覧におけるユーザの選択に応じて、選択されたジョブ情報を識別するステップと、
前記記憶されたジョブ情報と前記識別されたジョブ情報とに基づき、前記識別されたジョブ情報に基づいて実行される画像形成出力以外の画像形成出力に要する時間の合計を計算して表示させるステップと、
を画像処理装置に実行させることを特徴とする画像処理装置の制御プログラム。
【請求項６】
画像形成装置において画像形成出力を実行するために要する時間を表示する画像処理装置の制御方法であって、
前記画像形成出力の実効命令であるジョブ情報を記憶媒体に記憶し、
前記記憶された夫々のジョブ情報に基づいて実行される画像形成出力に要する時間を計算すると共に、前記計算した時間の合計を計算し、それらの情報を含むジョブ一覧を表示装置に表示させ、
前記表示されたジョブ一覧におけるユーザの選択に応じて、選択されたジョブ情報を識別し、
前記記憶されたジョブ情報と前記識別されたジョブ情報とに基づき、前記識別されたジョブ情報に基づいて実行される画像形成出力以外の画像形成出力に要する時間の合計を計算して表示させることを特徴とする画像処理装置の制御方法。
【発明の詳細な説明】
【技術分野】
【０００１】
本発明は、画像処理装置、画像処理装置の制御方法及び画像処理装置の制御プログラムに関し、特に、画像処理装置の印刷ジョブ管理に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。また、このような画像処理装置は、液晶パネルなどからなる操作画面および表示画面を備え、それら画面において、画像処理装置の動作状態などを表示し、実行指示を受け付けるように構成されることが多い。
【０００３】
このような画像処理装置においては、ユーザが削除したいジョブをジョブ一覧から選択して、選択したジョブを削除することにより、全ジョブの処理を終了するまでの所要時間を短くするような操作が行われることがある。また、残りの全ジョブが実行を終えるまでの推定所要時間（以下、「削除後所要時間」という）を表示することにより、ユーザの利便性を向上する方法が既に提案されている（例えば、特許文献１参照）。
【発明の概要】
【発明が解決しようとする課題】
【０００４】
特許文献１に開示されているような方法では、実際にジョブの削除がなされた後でなければ、削除後所要時間は表示されないという問題があった。そのため、ジョブを実際に削除する前において、そのジョブが削除されたと仮定した場合の削除後所要時間を知りたいときには、削除前の全ジョブが実行を終えるまでの推定所要時間と、削除したいジョブの実行に要する推定時間とから、ユーザ自身が推測するしかなかった。そのため、このような方法では正確な削除後所要時間を推測することは困難であった。
【０００５】
本発明は、このような課題を解決するためになされたものであり、ジョブを削除して全ジョブ終了までの所要時間を短くする場合に、削除するジョブの選択を補助することを目的とする。
【課題を解決するための手段】
【０００６】
上記課題を解決するために、画像形成装置において画像形成出力を実行するために要する時間を表示する画像処理装置であって、前記画像形成出力の実効命令であるジョブ情報を記憶するジョブ情報記憶部と、前記記憶されたジョブ情報に基づいてジョブ一覧を表示装置に表示させるジョブ一覧表示部と、前記表示されたジョブ一覧におけるユーザの選択に応じて、選択されたジョブ情報を識別する選択ジョブ識別部とを含み、前記ジョブ一覧表示部は、前記ジョブ一覧において、前記記憶された夫々のジョブ情報に基づいて実行される画像形成出力に要する時間を計算して表示させると共に、前記計算した時間の合計を計算して表示させ、前記記憶されたジョブ情報と前記識別されたジョブ情報とに基づき、前記識別されたジョブ情報に基づいて実行される画像形成出力以外の画像形成出力に要する時間の合計を計算して表示させることを特徴とする。
【０００７】
また、本発明の他の態様は、画像形成装置において画像形成出力を実行するために要する時間を表示する画像処理装置の制御プログラムであって、前記画像形成出力の実効命令であるジョブ情報を記憶媒体に記憶するステップと、前記記憶された夫々のジョブ情報に基づいて実行される画像形成出力に要する時間を計算すると共に、前記計算した時間の合計を計算し、それらの情報を含むジョブ一覧を表示装置に表示させるステップと、前記表示されたジョブ一覧におけるユーザの選択に応じて、選択されたジョブ情報を識別するステップと、前記記憶されたジョブ情報と前記識別されたジョブ情報とに基づき、前記識別されたジョブ情報に基づいて実行される画像形成出力以外の画像形成出力に要する時間の合計を計算して表示させるステップとを画像処理装置に実行させることを特徴とする。
【０００８】
また、本発明の更に他の態様は、画像形成装置において画像形成出力を実行するために要する時間を表示する画像処理装置の制御方法であって、前記画像形成出力の実効命令であるジョブ情報を記憶媒体に記憶し、前記記憶された夫々のジョブ情報に基づいて実行される画像形成出力に要する時間を計算すると共に、前記計算した時間の合計を計算し、それらの情報を含むジョブ一覧を表示装置に表示させ、前記表示されたジョブ一覧におけるユーザの選択に応じて、選択されたジョブ情報を識別し、前記記憶されたジョブ情報と前記識別されたジョブ情報とに基づき、前記識別されたジョブ情報に基づいて実行される画像形成出力以外の画像形成出力に要する時間の合計を計算して表示させることを特徴とする。
【発明の効果】
【０００９】
本発明によれば、ジョブを削除して全ジョブ終了までの所要時間を短くする場合に、削除するジョブの選択を補助することができる。
【図面の簡単な説明】
【００１０】
【図１】本発明の実施形態に係るシステムの運用形態を示す図である。
【図２】本発明の実施形態に係る画像形成装置のハードウェア構成を模式的に示すブロック図である。
【図３】本発明の実施形態に係る画像形成装置の機能構成を示すブロック図である。
【図４】本発明の実施形態に係る画像処理装置のディスプレイパネルの表示例を示す図である。
【図５】本発明の実施形態に係る画像処理装置のディスプレイパネルの表示例を示す図である。
【図６】本発明の実施形態に係る画像処理装置のディスプレイパネルの表示画面更新処理の手順を示すフローチャートである。
【発明を実施するための形態】
【００１１】
以下、図面を参照して、本発明の実施形態を詳細に説明する。本実施形態においては、画像処理システムの例として、画像形成出力を実行する画像処理装置において印刷ジョブがすべて終了するまでの推定所要時間を計算し、その推定所要時間を表示するシステムを例として説明する。
【００１２】
図１は、本実施の形態に係るシステムの運用形態の例を示す図である。図１に示すように、本実施形態に係るシステムは、画像処理装置１、クライアント端末２、データ管理サー３がネットワーク４を介して接続され、さらに、画像処理装置１は電話回線５を介して他の場所にある画像処理装置１と接続されて構成されている。
【００１３】
画像処理装置１は、撮像機能、画像形成機能及び通信機能等を備えることにより、プリンタ、ファクシミリ、スキャナ、複写機として利用可能なＭＦＰ（ＭｕｌｔｉＦｕｎｃｔｉｏｎ  Ｐｅｒｉｐｈｅｒａｌ：複合機）である。本実施形態において、画像処理装置１は、ネットワーク４を介してクライアント端末２から受信した印刷ジョブに基づいて画像形成出力を実行する。
【００１４】
また、本実施形態において、画像処理装置１は、ユーザが画像処理装置１を直接操作することにより生成された印刷ジョブに基づいて画像形成出力を実行することもできる。尚、画像処理装置１は、印刷対象となるデータが格納される構成としてもよい。その場合には、ユーザは、クライアント端末２からネットワーク４を介して画像処理装置１の図示しないデータ管理部にアクセスすることにより、印刷したいデータを選択及び取得することができる。
【００１５】
さらに、本実施形態に係る画像処理装置１は、ファクシミリ機能により電話回線５を介して他の場所にある画像処理装置１から受信したファクシミリジョブに基づいて画像形成出力を実行する。
【００１６】
クライアント端末２は、ユーザが操作する情報処理端末であり、ＰＣ（Ｐｅｒｓｏｎａｌ  Ｃｏｍｐｕｔｅｒ）等の情報処理装置によって実現される。また、クライアント端末２は、印刷対象となるデータを記憶しており、ユーザによる操作に従い、データを印刷するための印刷ジョブを画像処理装置１へネットワーク４を介して送信することができる。
【００１７】
データ管理サーバ３は、ネットワーク上に存在するファイル共有サーバであり、印刷対象となるデータを記憶している。なお、ユーザは、画像処理装置１やクライアント端末２からネットワーク４を介してデータ管理サーバ３にアクセスすることにより、印刷したいデータを選択及び取得することができる。尚、図１におけるネットワーク４は、例えばオフィスＬＡＮ（Ｌｏｃａｌ  Ａｒｅａ  Ｎｅｔｗｏｒｋ）等の限定されたネットワークであるが、インターネットや公衆回線等の広域ネットワークを介して接続される態様とすることも可能である。
【００１８】
次に、本実施形態に係る画像処理装置１、クライアント端末２及びデータ管理サーバ３のハードウェア構成について図２を参照して説明する。尚、画像処理装置１は、図２に示すハードウェア構成に加えて、スキャナ、プリンタ等を実現するためのエンジンを備える。以下の説明においては、画像処理装置１のハードウェア構成を例として説明するが、クライアント端末２及びデータ管理サーバ３についても同様である。
【００１９】
図２に示すように、本実施形態に係る画像処理装置１は、一般的なサーバやＰＣ等と同様の構成を含む。即ち、本実施形態に係る画像処理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２０】
ＣＰＵ１０は演算手段であり、画像処理装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。本実施形態に係る画像処理装置１において、ＨＤＤ４０やＲＡＭ２０は、ジョブ情報記憶部として機能する。
【００２１】
Ｉ／Ｆ５０は、バス８０と各種のハードウェアやネットワーク等を接続し制御する。ＬＣＤ６０は、ユーザが画像処理装置１の状態を確認するための視覚的ユーザインタフェースである。操作部７０は、キーボードやマウス等、ユーザが画像形成装置１に情報を入力するためのユーザインタフェースである。尚、図１において説明したように、本実施形態に係るデータ管理サーバ３は共有サーバとして運用される。従って、ＬＣＤ６０及び操作部７０等のユーザインタフェースは省略可能である。
【００２２】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る画像処理装置１、クライアント端末２及びデータ管理サーバ３の機能を実現する機能ブロックが構成される。
【００２３】
次に、本実施形態に係る画像処理装置１の機能構成について、図３を参照して説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１０１、スキャナユニット１０２、排紙トレイ１０３、ディスプレイパネル１０４、給紙テーブル１０５、プリントエンジン１０６、排紙トレイ１０７及びネットワークＩ／Ｆ１０８を有する。
【００２４】
また、コントローラ１００は、主制御部１１０、エンジン制御部１２０、画像処理部１３０、操作表示制御部１４０及び入出力制御部１５０を含む。図３に示すように、本実施形態に係る画像形成装置１は、スキャナユニット１０２、プリントエンジン１０６を有する複合機として構成されている。尚、図３においては、電気的接続を実線の矢印で示しており、用紙若しくは文書束の流れを破線の矢印で示している。
【００２５】
ディスプレイパネル１０４は、画像形成装置１の状態を視覚的に表示する出力インタフェースであると共に、タッチパネルとしてユーザが画像形成装置１を直接操作し、若しくは画像形成装置１に対して情報を入力する際の入力インタフェースでもある。即ち、ディスプレイパネル１０４は、ユーザによる操作を受けるための画像を表示する機能を含む。ディスプレイパネル１０４は、図２に示すＬＣＤ６０及び操作部７０によって実現される。本実施形態において、ユーザは、ディスプレイパネル１０４を操作してデータ管理サーバ３に格納された印刷対象データの選択及び取得を指示する。
【００２６】
ネットワークＩ／Ｆ１０８は、画像形成装置１がネットワークを介してクライアント端末２やデータ管理サーバ３等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。ネットワークＩ／Ｆ１０８は、図２に示すＩ／Ｆ５０によって実現される。
【００２７】
コントローラ１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリ（以下、メモリ）にロードされ、ＣＰＵ１０がそのプログラムに従って動作することにより構成されるソフトウェア制御部と集積回路などのハードウェアとによってコントローラ１００が構成される。コントローラ１００は、画像形成装置１全体を制御する制御部として機能する。
【００２８】
主制御部１１０は、コントローラ１００に含まれる各部を制御する役割を担い、コントローラ１００の各部に命令を与える。エンジン制御部１２０は、プリントエンジン１０６やスキャナユニット１０２等を制御若しくは駆動する駆動手段としての役割を担う。また、本実施形態に係る主制御部１１０は、ディスプレイパネル１０４に表示するための情報の１つとして、処理中の印刷ジョブを完了するために要する時間を計算する機能を有する。
【００２９】
画像処理部１３０は、主制御部１１０の制御に従い、印刷出力すべき画像情報に基づいて描画情報を生成する。この描画情報とは、画像形成部であるプリントエンジン１０６が画像形成動作において形成すべき画像を描画するための情報である。また、画像処理部１３０は、スキャナユニット１０２から入力される撮像データを処理し、画像データを生成する。この画像データとは、スキャナ動作の結果物として画像形成装置１の記憶領域に格納され若しくはネットワークＩ／Ｆ１０８を介してデータ管理サーバ３に送信される情報である。
【００３０】
操作表示制御部１４０は、ディスプレイパネル１０４に情報表示を行い若しくはディスプレイパネル１０４を介して入力された情報を主制御部１１０に通知する。入出力制御部１５０は、ネットワークＩ／Ｆ１０８を介して入力される情報を主制御部１１０に入力する。また、主制御部１１０は、入出力制御部１５０を制御し、ネットワークＩ／Ｆ１０８及びネットワーク４または公衆回線５を介してクライアント端末２やデータ管理サーバ３や他の場所にある画像処理装置１等の他の機器にアクセスする。
【００３１】
画像処理装置１がプリンタとして動作する場合は、まず、入出力制御部１５０がネットワークＩ／Ｆ１０８を介して印刷ジョブを受信する。入出力制御部１５０は、受信した印刷ジョブを主制御部１１０に転送する。主制御部１１０は、印刷ジョブを受信すると、画像処理部１３０を制御して印刷ジョブに含まれる文書情報若しくは画像情報に基づいて描画情報を生成させる。
【００３２】
画像処理部１３０によって描画情報が生成されると、エンジン制御部１２０は、プリントエンジン１０６を制御し、上記生成された描画情報に基づき、給紙テーブル１０５から搬送される用紙に対して画像形成を実行させる。即ち、画像処理部１３０、エンジン制御部１２０及びプリントエンジン１０６が画像形成出力部として機能する。プリントエンジン１０６の具体的態様としては、インクジェット方式による画像形成機構や電子写真方式による画像形成機構等を用いることが可能である。プリントエンジン１０６によって画像形成が施された文書は排紙トレイ１０７に排紙される。
【００３３】
画像形成装置１がスキャナとして動作する場合は、ユーザによるディスプレイパネル１０４の操作若しくはネットワークＩ／Ｆ１０８を介してクライアント端末２等の他の端末から入力されるスキャン実行指示に応じて、操作表示制御部１４０若しくは入出力制御部１５０が主制御部１１０にスキャン実行信号を転送する。主制御部１１０は、受信したスキャン実行信号に基づき、エンジン制御部１２０を制御する。
【００３４】
エンジン制御部１２０は、ＡＤＦ１０１を駆動し、ＡＤＦ１０１にセットされた撮像対象原稿をスキャナユニット１０２に搬送する。また、エンジン制御部１２０は、スキャナユニット１０２を駆動し、ＡＤＦ１０１から搬送される原稿を撮像する。また、ＡＤＦ１０１に原稿がセットされておらず、スキャナユニット１０２に直接原稿がセットされた場合、スキャナユニット１０２は、エンジン制御部１２０の制御に従い、セットされた原稿を撮像する。即ち、スキャナユニット１０２が撮像部として動作すると共に、エンジン制御部１２０が、読取制御部として機能する。
【００３５】
撮像動作においては、スキャナユニット１０２に含まれるＣＣＤ等の撮像素子が原稿を光学的に走査し、光学情報に基づいて生成された撮像情報が生成される。エンジン制御部１２０は、スキャナユニット１０２が生成した撮像情報を画像処理部１３０に転送する。画像処理部１３０は、主制御部１１０の制御に従い、エンジン制御部１２０から受信した撮像情報に基づき画像情報を生成する。
【００３６】
画像処理部１３０が生成した画像情報は主制御部１１０が取得し、主制御部１１０がＨＤＤ４０等の複合機１に装着された記憶媒体に保存する。即ち、スキャナユニット１０２、エンジン制御部１２０及び画像処理部１３０が連動して、画像入力部として機能する。画像処理部１３０によって生成された画像情報は、ユーザの指示に応じてそのままＨＤＤ４０等に格納され若しくは入出力制御部１５０及びネットワークＩ／Ｆ１０８を介してクライアント端末２やデータ管理サーバ３等の外部の装置に送信される。
【００３７】
また、画像形成装置１が複写機として動作する場合は、ユーザによるディスプレイパネル１０４の操作により入力される複写実行指示に応じて、操作表示制御部１４０が主制御部１１０に複写実行信号を転送する。主制御部１１０は、受信した複写実行信号に基づき、エンジン制御部１２０を制御する。そして、上述したスキャン動作によりエンジン制御部１２０がスキャナユニット１０２から受信した撮像情報若しくは画像処理部１３０が生成した画像情報に基づき、画像処理部１３０が描画情報を生成する。その描画情報に基づいてプリンタ動作の場合と同様に、エンジン制御部１２０がプリントエンジン１０６を駆動する。尚、描画情報と撮像情報との情報形式が同一である場合は、撮像情報をそのまま描画情報として用いることも可能である。
【００３８】
画像処理装置１がファクシミリとして動作する場合は、まず、入出力制御部１５０がネットワークＩ／Ｆ１０８を介してファクシミリジョブを受信する。入出力制御部１５０は、受信したファクシミリジョブを主制御部１１０に転送する。主制御部１１０は、ファクシミリジョブを受信すると、上述した印刷ジョブの場合と同様の処理により出力の実行を制御する。
【００３９】
尚、本実施形態に係る画像処理装置１は、印刷を実行中であっても、ネットワーク４若しくは公衆回線５を介してのジョブの受信若しくは送信、または、スキャナ機能による原稿の撮像及びジョブの生成、または、コピー機能による原稿の撮像及びジョブの生成の何れかを行うことができる構成である。このとき、ジョブ情報はＨＤＤ４０などの記憶媒体に記憶される。
【００４０】
このような画像形成装置１において、本実施形態に係る要旨は、処理中のジョブを完了するまでに要する時間を計算してディスプレイパネル１０４に表示すると共に、ユーザによって選択されたジョブに要する時間を除いて計算した合計の時間を表示することにより、ジョブを削除して全ジョブ終了までの所要時間を短縮する場合の、削除対象のジョブのユーザによる選択を補助することにある。以下、詳細に説明する。
【００４１】
図４は、本実施形態に係る画像処理装置１のディスプレイパネルの表示例を示す図である。本実施形態に係る画像形成装置１は、ユーザが画像処理装置１のディスプレイパネル１０４をタッチパネルとして直接操作することにより、ディスプレイパネル１０４に図４に示すような画像を表示させることができる。図４に示すように、ディスプレイパネル１０４には、ジョブ一覧２００、所要時間２１０、詳細ボタン２２０、キャンセルボタン２３０が表示される。
【００４２】
ジョブ一覧２００には、画像処理装置１が実行すべきジョブのジョブ情報の一部がジョブ毎に表示されている。ジョブ情報は、ＨＤＤ４０などの記憶媒体に記憶されている。その表示項目として、状態２０１、ナンバー２０２、種類２０３、ユーザ名２０４、文書名２０５、原稿数２０６、セット２０７、時間２０８が表示されている。尚、ジョブの種類によって、空欄の項目があっても良い。
【００４３】
状態２０１は、各ジョブの処理段階を表示するものである。ジョブが実行されている印刷段階であれば“印刷中”を、ジョブを受信し、取り込まれている段階であれば“取込中”を、ジョブの取り込みを完了し、そのジョブの実行を待っている段階であれば“予約”を表示する。
【００４４】
ナンバー２０２は、各ジョブの実行順序を表示するものである。ナンバー２０２に表示されている数字が低いほど、実行順序が上位であることを示している。種類２０３は、各ジョブがどの機能に基づいて画像処理装置１に取り込まれたかを表示している。基づく機能として、プリンタ機能、コピー機能、ファクシミリ機能が挙げられる。例えば、ファクシミリ機能によりファクシミリジョブを受信した場合には、そのジョブの種類２０３の項目には、“ファクシミリ”が表示される。
【００４５】
ユーザ名２０４は、ネットワーク４若しくは電話回線５を介して画像処理装置１へジョブを送信したユーザ、または、画像処理装置１への直接操作によりジョブを生成させたユーザのユーザ名を表示するものである。文書名２０５は、ジョブ情報に含まれる文書情報若しくは画像情報のファイル名若しくはファイルパスや、ジョブ毎にユーザが設定した文字列など、ユーザがジョブを識別するための文字列を表示するものである。
【００４６】
原稿数２０６は、各ジョブに基づいて印刷すべき原稿の枚数を表示するものである。セット２０７は、各ジョブに基づいて印刷すべき原稿の部数を表示するものである。時間２０８は、各ジョブの実行に要する時間を表示するものである。
【００４７】
時間２０８に表示されている時間は、ＨＤＤ４０などの記憶媒体に格納されているジョブ情報や画像処理装置１の動作状態を示す情報などに基づいて主制御部１１０が計算を行い算出したものである。この算出結果を主制御部１１０が操作表示制御部１４０を介してディスプレイパネル１０４に表示している。算出結果はＨＤＤ４０などの記憶媒体に格納される。尚、時間２０８は、実行中のジョブについては、そのジョブが終了するまでの残り時間を実行の進行度合いに応じてリアルタイムに表示するものとしても良い。
【００４８】
ジョブ一覧２００は、上記２０１〜２０８の項目の他に、ジョブ毎に、印刷対象となる画像データをサムネイル表示しても良い。
【００４９】
所要時間２１０は、ジョブ一覧２００に表示されている全ジョブが実行を終えるまでの所要時間を表示するものである。所要時間２１０に表示されている時間は、ＨＤＤ４０などの記憶媒体に格納されているジョブ情報や画像処理装置１の動作状態を示す情報などに基づいて主制御部１１０が計算を行い算出したものである。この算出結果を主制御部１１０が操作表示制御部１４０に通知してディスプレイパネル１０４に表示している。算出結果はＨＤＤ４０などの記憶媒体に格納される。
【００５０】
所要時間２１０に表示されている時間は、ジョブが終了または削除または追加された場合には自動で更新される。尚、所要時間２１０は、実行中のジョブがある場合には、ジョブ一覧２００に表示されている全ジョブが実行を終えるまでの残り時間を実行中のジョブの進行度合いに応じてリアルタイムに表示するものとしても良い。
【００５１】
図５は、本実施形態に係る画像処理装置１のディスプレイパネルの表示例を示す図である。ジョブ一覧２００は、上記したようなジョブ情報の一部を表示するものであるだけではなく、ディスプレイパネル１０４のパネル面に対するユーザのタッチにより、その位置に表示されているジョブを選択することができる。ユーザのタッチによりジョブが選択されると、図５に示すように、選択されたジョブ欄の表示色が選択前と比較して変化し、そのジョブが選択されたことがユーザに視覚的変化として表示される。
【００５２】
ユーザのタッチによりジョブ一覧２００においてジョブが選択されると、図５に示すように、所要時間２１０の下部に削除後所要時間２４０が新たに表示される。削除後所要時間２４０は、選択されたジョブが削除されたと仮定した場合の残りの全ジョブが実行を終えるまでの所要時間を表示するものである。つまり、画像処理装置１は、選択されているジョブを実際に削除しなくても、それらが削除されたと仮定した場合の所要時間を表示することができる。これは、本実施形態に係る要旨の１つである。また、上記のように、所要時間２１０と削除後所要時間２４０を同時に表示することにより、ユーザは、削除前と削除した場合とでの待ち時間をたやすく比較することができる。
【００５３】
尚、削除後所要時間２４０は、実行中のジョブがある場合には、残りの全ジョブが実行終えるまでの残り時間を実行中のジョブの進行度合いに応じてリアルタイムに表示するものとしても良い。
【００５４】
上記したように、実行中のジョブがあるときに、時間２０８、所要時間２１０、削除後所要時間２４０をリアルタイム表示する構成とした場合には、画像処理装置１は、より正確な所要時間を表示することができる。
【００５５】
ユーザが、ジョブ一覧２００からジョブ欄をタッチしてジョブを選択した場合には、操作表示制御部１４０は、ディスプレイパネル１０４を介して、選択されているジョブを識別するための識別情報を主制御部１１０に通知する。その識別情報を受信した主制御部１１０は、ＨＤＤ４０などの記憶媒体に格納されているジョブ情報や画像処理装置１の動作状態を示す情報などに基づいて削除後所要時間を算出すべく処理を開始し、主制御部１１０は、算出結果を操作表示制御部１４０に通知してディスプレイパネル１０４に表示する。算出結果は、ＨＤＤ４０などの記憶媒体に格納される。
【００５６】
削除後所要時間２４０に表示されている時間は、ユーザが選択するジョブを他のジョブに変更した場合や、選択するジョブ数を変更した場合には、その都度主制御部１１０が上記の動作を実行することにより自動で更新される。
【００５７】
尚、本実施形態に係る画像処理装置１のディスプレイパネル１０４が、図示しない再計算ボタンを備え、ユーザがジョブを選択後、または、選択するジョブを変更した後に、再計算ボタンにタッチした場合にのみ、削除後所要時間２４０に表示される時間が更新されるものとする。このように構成することにより、ユーザが望まない処理を画像処理装置１に実行させずに済むので、画像処理装置１の処理負荷を軽減することができる。
【００５８】
ユーザが再計算ボタンにタッチした場合には、操作表示制御部１４０はディスプレイパネル１０４を介して主制御部１１０に算出命令を通知する。算出命令を受信した主制御部１１０は、ＨＤＤ４０などの記憶媒体に格納されているジョブ情報や画像処理装置１の動作状態を示す情報などに基づいて削除後所要時間の算出を開始し、主制御部１１０は、算出結果を操作表示制御部１４０に通知してディスプレイパネル１０４に表示する。算出結果は、ＨＤＤ４０などの記憶媒体に格納される。
【００５９】
ジョブ一覧２００を表示するためのジョブ一覧情報は、上記したようなジョブ情報の一部および時間２０８の算出結果、所要時間２１０の算出結果、削除後所要時間２４０の算出結果の他に、ジョブ欄の色情報を含む。これらの情報を主制御部１１０が操作表示制御部１４０に通知してディスプレイパネル１０４に表示している。
【００６０】
ユーザが、ジョブ一覧２００からジョブ欄をタッチしてジョブを選択した場合には、主制御部１１０がジョブ一覧２００において選択されているジョブ欄の色を変化させるべく処理を行う。ジョブ欄の色を変化させるべく処理を施されたジョブ一覧情報は、主制御部１１０が操作表示制御部１４０を介してディスプレイパネル１０４に表示される。このとき、操作表示制御部１４０は、ジョブ一覧表示部として機能する。
【００６１】
ジョブ一覧２００にはさらに、スクロールボタン２０９が表示されている。スクロールボタン２０９は、次へボタン２０９ａ、前へボタン２０９ｂにより構成されている。次へボタン２０９ａは、現在表示されているジョブより実行順序が後ろのジョブ一覧を表示させるべく、表示画面を遷移させるために使用するタッチパネル上のボタンである。ディスプレイパネル１０４には表示できる情報量に制限があるため、ジョブが複数あり、ディスプレイパネル１０４に一度にすべてのジョブを表示しきれないときに使用可能となる。図４に示す例では、ジョブが６個以上の場合に次ページボタン２０９ａは使用可能になる。
【００６２】
前へボタン２０９ｂは、現在表示されているジョブより実行順序が前のジョブ一覧を表示させるべく、表示画面を遷移させるために使用するタッチパネル上のボタンである。前へボタン２０９ｂは、次へボタン２０９ａがタッチされてはじめて使用可能になる。
【００６３】
詳細ボタン２２０は、選択されたジョブの詳細情報を表示させるべく、表示画面を遷移させるために使用するタッチパネル上のボタンである。詳細情報とは、ジョブ一覧２００に表示される情報の他に、ジョブについての詳細なジョブ情報であるが、ここでは詳しい説明は省略する。
【００６４】
キャンセルボタン２３０は、選択されたジョブを削除するために使用するタッチパネル上のボタンである。ジョブ一覧２００から削除したいジョブを選択して、キャンセルボタン２３０にタッチすると、操作表示制御部１４０は、ディスプレイパネル１０４を介して、キャンセルボタンにタッチされたことを示す削除実行命令を主制御部１１０に通知する。同時に、操作表示制御部１４０は、ディスプレイパネル１０４を介して、選択されているジョブを識別するための識別情報を主制御部１１０に通知する。
【００６５】
削除実行命令及び識別情報を受信した主制御部１１０は、選択されたジョブのジョブ情報が格納されている記憶媒体から選択されたジョブのジョブ情報を削除する。その結果、ジョブ一覧２００からも削除され、削除されたジョブより実行順序が後ろのジョブは、削除されたジョブの分だけ実行順序が繰り上がる。
【００６６】
尚、上記したような項目やボタンなどの表示例は、画像処理装置１のディスプレイパネル以外に、クライアント端末２などの外部機器に表示するように構成されていても良い。
【００６７】
以下、本実施形態において、ユーザによるディスプレイパネル１０４の操作により、所要時間が算出される処理を、図６を参照して説明する。図６は、本実施形態に係る画像処理装置１のディスプレイパネル１０４の表示画面更新処理の手順を示すフローチャートである。ユーザがディスプレイパネル１０４を操作してジョブ一覧２００からジョブを選択すると、ディスプレイパネル１０４を介して操作表示制御部１４０に識別情報が入力され、操作表示制御部１４０は、主制御部１１０にその識別情報を通知する（Ｓ６０１）。
【００６８】
主制御部１１０は、識別情報を受信すると、選択されたジョブ欄の表示色を選択前と比較して変化させるべく表示画面を更新する処理を開始する（Ｓ６０２〜Ｓ６０４）。まず、主制御部１１０は、Ｓ６０１で受信した識別情報を参照してジョブ一覧２００の色情報を変更する（Ｓ６０２）。また、主制御部１１０は、Ｓ６０２で受信した識別情報を参照して、選択されたジョブが削除された場合の削除後所要時間を算出する（Ｓ６０３）。
【００６９】
次に、主制御部１１０は、色情報が変更されたジョブ一覧情報、及び、Ｓ６０３で算出された削除後所要時間を、操作表示制御部１４０に通知してディスプレイパネル１０４におけるジョブ一覧２００及び削除後所要時間２４０に表示させる。これにより、表示画面は更新される（Ｓ６０４）。このような構成とすることで、ユーザが選択したジョブを実際に削除しなくても、所要時間２１０とは別に、選択したジョブを削除したと仮定した場合の所要時間として削除後所要時間２４０に表示することができる。
【００７０】
表示画面が更新されて、ユーザがキャンセルボタン２３０を操作した場合（Ｓ６０５／ＹＥＳ）には、ディスプレイパネル１０４を介して操作表示制御部１４０に削除実行命令が入力され、操作表示部１４０は、主制御部１１０にその削除実行命令を通知する（Ｓ６０６）。
【００７１】
削除実行命令を受信した主制御部１１０は、選択されたジョブの削除処理を開始する（Ｓ６０７〜Ｓ６０８）。まず、主制御部１１０は、Ｓ６０１で受信した識別情報を参照して、選択されたジョブを削除した後の所要時間を再計算して算出する（Ｓ６０７）。
【００７２】
次に、主制御部１１０は、選択されたジョブが削除された後のジョブ一覧情報、及び、Ｓ６０７で算出された所要時間を、操作表示制御部１４０に通知してディスプレイパネル１０４におけるジョブ一覧２００及び所要時間２１０に表示させる。これにより、表示画面は更新され（Ｓ６０８）、削除処理は終了し、表示画面更新処理が終了する。
【００７３】
なお、削除処理において、主制御部１１０は、ジョブ情報が格納されている記憶媒体から、削除対象となったジョブのジョブ情報を削除する。一方、ユーザがキャンセルボタン２３０を操作しない場合（Ｓ６０５／ＮＯ）には、表示画面は更新されずに、そのまま表示画面更新処理は終了する。
【００７４】
以上、説明したとおり、本実施形態に係る画像処理装置１によれば、ユーザは、図４に示すようなジョブ一覧２００の画面において、処理中のジョブの完了までに要する時間及び合計の処理時間を確認することができると共に、夫々のジョブを選択することにより、選択したジョブを削除したと仮定した場合の合計の処理時間を確認することができる。従って、ジョブを削除して全ジョブ終了までの所要時間を短くする場合に、削除するジョブの選択を補助することができる。
【符号の説明】
【００７５】
１  画像処理装置
２  クライアント端末
３  データ管理サーバ
４  ネットワーク
５  電話回線
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  ＡＤＦ
１０２  スキャナユニット
１０３  排紙トレイ
１０４  ディスプレイパネル
１０５  給紙テーブル
１０６  プリントエンジン
１０７  排紙トレイ
１０８  ネットワークＩ／Ｆ
１１０  主制御部
１２０  エンジン制御部
１３０  画像処理部
１４０  操作表示制御部
１５０  入出力制御部
２００  ジョブ一覧
２０１  状態
２０２  Ｎｏ．
２０３  種類
２０４  ユーザ名
２０５  文書名
２０６  原稿数
２０７  セット
２０８  時間
２０９  スクロールボタン
２０９ａ  次へボタン
２０９ｂ  前へボタン
２１０  所要時間
２２０  詳細ボタン
２３０  キャンセルボタン
２４０  削除後所要時間
【先行技術文献】
【特許文献】
【００７６】
【特許文献１】特開２００６−２５２１９１号公報
【図１】
2013052613.tif 000003
【図２】
2013052613.tif 000004
【図３】
2013052613.tif 000005
【図４】
2013052613.tif 000006
【図６】
2013052613.tif 000007
【図５】
2013052613.tif 000008